(57)【要約】【課題】基盤１の裏面を視覚的演出のために活用し、独特の装飾効果・演出効果を現出すると共に、遊技領域を狭めず自由度の大きな遊技盤を提供する。【解決手段】基盤１における遊技釘７の立設部対応裏面と非立設部対応裏面とを平面等の連続した面で形成し、裏面にボス等を飛び出させない。このため、遊技釘７の立設部と非立設部とにまたがる大きさのディスプレイ装置やセル画等の視覚的演出手段を良好に配置できる。基盤１は透明性を有し、この透明性を利用した独特の視覚的演出効果を基盤１の表側に現出させることができる。また、基盤１の表側の遊技領域を狭めたりすることもなく、遊技釘７の立設箇所等の自由度を向上できる。【選択図】図１
2007260467.tif 000002
【特許請求の範囲】
【請求項１】
樹脂製の基盤の表側に遊技釘を立設した弾球遊技機の遊技盤において、
前記基盤は透明性を有し、遊技釘の立設部対応裏面と非立設部対応裏面とは連続した面を形成し、この連続した面に視覚的演出手段を近接配置し、
前記基盤の厚み方向に貫通され、所定角度だけ前上方に傾斜させた下穴に、前記遊技釘を挿入したことを特徴とする弾球遊技機の遊技盤。
【請求項２】
基盤における遊技釘の立設部の厚みは非立設部の厚みと等しく、連続面はフラットな平面から成る請求項１記載の弾球遊技機の遊技盤。
【請求項３】
遊技釘の立設部対応裏面と非立設部対応裏面とにまたがって視覚的演出手段を配設した請求項１又は２記載の弾球遊技機の遊技盤。
【請求項４】
遊技釘の基盤への挿入部に稜部の高さが異なる複数種類の螺旋体を混在させ、かつ高さの低い稜部の頂の幅を、高さの高い稜部の頂の幅よりも広くした多重螺旋部を設けた請求項１〜３何れか一記載の弾球遊技機の遊技盤。
【請求項５】
基盤に対する遊技釘の挿入深さを基盤の厚み以下にした請求項１〜４何れか一記載の弾球遊技機の遊技盤。
【請求項６】
視覚的演出手段は、基盤の裏側に配置するディスプレイ装置を含む請求項１〜５何れか一記載の弾球遊技機の遊技盤。
【請求項７】
視覚的演出手段は、基盤の裏側に接合するセル画を含む請求項１〜６何れか一記載の弾球遊技機の遊技盤。
【発明の詳細な説明】
【技術分野】
【０００１】
本発明は、パチンコ遊技機、アレンジボール遊技機、雀球遊技機等のいわゆる弾球遊技機に具備させる樹脂製の遊技盤に関する。
【背景技術】
【０００２】
従来、遊技盤を樹脂製としたものは、特許文献１等により既に知られている。この従来例は、図１０に示すように、基盤ＰＬの裏面に遊技釘の打込み部先端を受入れる円柱形のボスＢＯＳを一体に突設している。基盤ＰＬの中央には、比較的大きな開口部ＯＰを設け、この開口部ＯＰに液晶等のディスプレイ装置を嵌め込み、始動入賞を契機とした図柄変動や各種リーチアクション、大当たり時のストーリー展開等のビジュアル演出を行わせるようにしている。キャラクタの絵や機種名等を装飾的に表わしたいわゆるセル画ＧＰは基盤ＰＬの表面側に貼られる。
【特許文献１】特開平４−３５４９６０号公報
【発明の開示】
【発明が解決しようとする課題】
【０００３】
しかし、以上の従来例のものは、基盤ＰＬの裏面にボスＢＯＳを突設させ、ディスプレイ装置は開口部ＯＰに嵌め込み、セル画ＧＰは基盤ＰＬの表面に貼るものであり、基盤ＰＬの裏面を視覚的演出に活用するものではない。このため、ディスプレイ装置の画像にしても、セル画にしても、基盤ＰＬの表にそのまま現れるものを単に遊技者に見せるだけであり、視覚的な演出は平面的にならざるを得ず、斬新さや面白味に欠ける。
【０００４】
また、近年の遊技機のビジュアル演出の重要性に鑑み、ディスプレイ装置は大型化の傾向にあるが、大型化すればするほど基盤ＰＬの表側の遊技領域が狭くなり、左右のサイドに散る遊技球を中央の始動口等に導きにくくなり、遊技が単調になったり面白味に欠ける問題もある。
【０００５】
尚、特開平４−３５４９６１号公報に開示され且つ図１１に示すように、透明樹脂基盤ＰＬ２を用い、基盤背方に配置するランプＥＬにより基盤表面のセル画ＧＰ（化粧板）を照明するものが提案されているが、セル画ＧＰは表面側に貼られており、単に遊技盤の裏側を照明用のバックライトに用いたに過ぎず、平面的な演出の域を出ないものである。
【０００６】
本発明では、基盤の裏面を視覚的演出のために活用し、独特の装飾効果・演出効果を現出できると共に、遊技領域を狭めるといったことのない自由度の大きな遊技盤を提供することを主目的とする。
【課題を解決するための手段】
【０００７】
請求項１記載の発明は、樹脂製の基盤の表側に遊技釘を立設した弾球遊技機の遊技盤において、前記基盤は透明性を有し、遊技釘の立設部対応裏面と非立設部対応裏面とは連続した面を形成し、この連続した面に視覚的演出手段を近接配置し、前記基盤の厚み方向に貫通され、所定角度だけ前上方に傾斜させた下穴に、前記遊技釘を挿入した。透明性の範疇には、無色透明の他、有色透明、乳白色等も入る。連続した面とは、段差や急激な傾斜のない滑らかにつながる面を意味し、平面、放物面、二次曲面等の単一曲面が代表的である。視覚的演出手段の全てを基盤裏に近接配置する必要はなく、例えば、ディスプレイ装置は基盤裏に配置するが、ディスプレイ装置の表示部分を打ち抜いたセル画は基盤表に貼るものとしてもよい。
【０００８】
請求項２記載の発明は、連続した面を簡易に得るため、基盤における遊技釘の立設部の厚みは非立設部の厚みと等しく、連続した面はフラットな平面から成るものとした。全体を平板とする他、連続面を構成する部分のみ平板構造としてもよい。
【０００９】
請求項３記載の発明は、透明基盤を利用した視覚的演出効果を有効且つ効果的に発揮させるため、遊技釘の立設部対応裏面と非立設部対応裏面とにまたがって視覚的演出手段を配設した。
【００１０】
請求項４記載の発明は、遊技釘の保持力を向上させ、基盤をあまり厚くすることなく、適度な厚みにするため、遊技釘の基盤への挿入部に、稜部の高さが異なる複数種類の螺旋体を混在させ、かつ高さの低い稜部の頂の幅を、高さの高い稜部の頂の幅よりも広くした多重螺旋部を設けた。
【００１１】
請求項５記載の発明は、視覚的演出手段を傷つけたり、その演出効果を妨げたりするのを防ぐため、基盤に対する遊技釘の挿入深さを基盤の厚み以下にした。
【００１２】
また、遊技盤全体の反りを低減するため、遊技釘は、基盤の厚み方向に貫通する下穴に挿入した。
【００１３】
請求項６記載の発明は、遊技領域を広く確保できると共に、大画面化に良好に対応できるようにするため、視覚的演出手段は、基盤の裏側に配置するディスプレイ装置を含むものにした。
【００１４】
請求項７記載の発明は、立体感のある演出等を行うため、視覚的演出手段は、基盤の裏側に接合するセル画を含むものにした。
【００１５】
請求項１記載の発明では、遊技釘の立設部対応裏面と非立設部対応裏面とは連続した面を形成するため、基盤の裏面にボス等の飛び出しはなく、視覚的演出手段を良好に配置できる。このため、基盤の透明性を利用した独特の視覚的演出効果を基盤の表側に現出させることができる。また、基盤の表側の遊技領域を狭めたりすることもなく、遊技釘の立設箇所等の自由度を向上できる。
【００１６】
請求項２記載の発明では、平板構造を採り入れたことにより、連続した面が簡易に構成できる。
【００１７】
請求項３記載の発明では、遊技釘の立設部と非立設部とにまたがる大きさの視覚的演出手段を実際に配置したから、基盤の透明性を利用した視覚的演出効果を有効且つ効果的に発揮させることができる。
【００１８】
請求項４記載の発明では、稜部の高さが高い螺旋体と高さが低い螺旋体との種類の異なる螺旋体が基盤に食らい付くように遊技釘が立設される。ところで、稜部の高さの高い螺旋体一種類のみで螺旋部を構成する場合には、遊技釘の打込み時の抵抗が大きく、打込みにくいと共に、打込み時に穴が拡がり過ぎ、思ったよりも保持力が上がらない。また、稜部の高さの低い螺旋体一種類のみで螺旋部を構成する場合には、遊技釘の打込みがし易いが、概して保持力が不足気味になる。ところが、このものでは、両者が混在した多重螺旋部であるため、打込みの困難性を緩和できつつ、穴の拡がり過ぎも少なくでき、稜部の高い螺旋体の突っ張り力と稜部の低い螺旋体の摩擦力とを損失少なく良好に引き出すことができる。このため、基盤の厚みをあまり厚くしなくても十分な遊技釘の保持強度を確保でき、遊技釘の抜けや回転を防止できると共に、耐久性を向上できる。従って、適度な厚みに基盤を構成でき、基盤が厚過ぎることによる見づらさ等のない独特の演出が行える。
【００１９】
請求項５記載の発明では、基盤の裏側に遊技釘の先が飛び出さず、視覚的演出手段を傷めることなく良好に配置でき、その演出効果を効果的に引き出し得る。
【００２０】
また、貫通する下穴により、基盤の表面側と裏面側とで作用する張力のアンバランスを小さくでき、基盤の反りを低減できる。
【００２１】
請求項６記載の発明では、基盤の裏にディスプレイ装置を配置するため、このディスプレイ装置前方の遊技面を遊技領域に利用でき、また、画面の大型化にも良好に対応できる。
【００２２】
このため、遊技領域を広く確保できながら、高度な視覚的演出が行える。
【００２３】
請求項７記載の発明では、基盤の肉厚を透かして背後のセル画を見せることにより、立体感や奥行感等あるので独特の視覚的演出を現出できる。また、基盤の表面にのみセル画を貼る場合のように遊技釘の貫通による絵の隠れや欠損も少なくでき、視覚的演出効果を一層向上できる。
【発明を実施するための最良の形態】
【００２４】
図１において、１は、遊技盤２を構成する透明な樹脂製の基盤である。厚みを例えば１０ｍｍ程度とした平板を用いている。この基盤１の表側には、３〜５°程度の所定角度θだけ前上方に傾斜させた遊技釘７を立設している。基盤１上の釘打ち箇所には予め径の小さな傾斜状の下穴１０を貫通状に開設してあり、この下穴１０に自動釘打ち機等により遊技釘７を打込んでいる。打込み時に強制的に回転や捻りを加えてもよいが、軸方向の打込みで十分である。
【００２５】
遊技釘７の全長は例えば２７ｍｍ、打込み深さＬ１は９．２ｍｍ、盤面突出長さＬ２は頭部を加えて１７．８ｍｍ程度である。２１は、視覚的演出手段を構成する１０インチ液晶ディスプレイ装置から成る特別図柄表示装置である。ディスプレイ装置の表示部分を打ち抜いたセル画８０は基盤１の表面に貼っている。
【００２６】
図２に示すように、遊技釘７の基盤１への挿入部には、稜部の高さが異なる複数種類の螺旋体７１，７２を混在させた多重螺旋部７０を設けている。このものは、高さの高い稜部７１０をもつ第１螺旋体７１と、高さの低い稜部７２０をもつ第２螺旋体７２との２種類を具備する。また、各螺旋体７１，７２はそれぞれ２本の螺旋体構成要素７１ａ，７１ｂ、７２ａ，７２ｂを備える。
【００２７】
図２において、遊技釘７の先端の円錐部７ａの長さＬａは３．５ｍｍ、径Ｄａは２．１５ｍｍ、多重螺旋部７０の長さＬ０は５ｍｍ、第１螺旋体７１の径Ｄ１は２．２ｍｍ、第２螺旋体７２の径Ｄ２は２ｍｍ、盤面突出側の円柱部７ｂの長さＬｂは１７．５ｍｍ、径Ｄｂは１．８５ｍｍ、頭部７ｃの長さＬｃは１ｍｍ、径Ｄｃは４．３ｍｍ程度である。第１、第２螺旋体７１，７２のねじり角は何れも７２０°（２回転）である。全体の材質はＣ２７００Ｗ［ＢＳ］である。
【００２８】
図３に示すように、第２螺旋体７２に具備する高さの低い稜部７２０の頂の幅Ｗ２は、第１螺旋体７１に具備する高さの高い稜部７１０の頂の幅Ｗ１よりも広くしている。これにより、主に第２螺旋体７２による摩擦力を向上させている。
【００２９】
また、第１螺旋体７１の隣接構成要素７１ａ，７１ｂ間は等間隔にしている。すなわち構成要素は２つだから、１８０°隔てて対向配置している。螺旋の始端を１８０°変位させているのと同じである。同様に、第２螺旋体７２の隣接構成要素７２ａ，７２ｂ間は等間隔、つまり１８０°隔てて対向配置している。これらにより、各螺旋体１，２は、それぞれ、中心に対し、大きな捩れや倒れ等の偏荷重を作用させる恐れも少なく、力のバランスが保たれる。
【００３０】
更に、第１螺旋体７１の隣接構成要素７１ａ，７１ｂ間の中間位置すなわち９０°変位した位置には、第２螺旋体７２の構成要素７２ａ又は７２ｂを配置している。これにより、全体として、中心に対する力のバランスを一層良好に保ち得て、遊技釘７の打込み穴（この場合は下穴１０）に対する直線性を良好に引き出し得ると共に、その結合強度を高め得るようにしている。
【００３１】
図４は、基盤１に、発射装置から打ち出す遊技球を盤面に導くガイドレール２０、視覚的演出手段たる裏配置の特別図柄表示装置２１、その可変表示を起動する第１種始動口上２２Ｕ、同じく可変表示を起動する電動チューリップから成る第１種始動口下２２Ｄ、始動入賞を４つまで記憶する記憶ＬＥＤ２３、特別図柄表示装置２１上で数字等が３列全て揃う大当たりが発生した時に開放されるアタッカ２４、第１種始動口下２２Ｄを開成させる抽選を起動するゲート右２５Ｒ及びゲート左２５Ｌ、上下左右４個の一般入賞口２６Ａ〜Ｄ、盤面サイドランプ２７Ｒ，Ｌ、４個の風車２８Ａ〜Ｄ、アウト口２９を設けている。遊技釘７は多数にのぼるため、一部のみ描いている。
【００３２】
図５は、以上の遊技盤２を組込んだパチンコ遊技機である。盤面を流下する遊技球を封入式にして遊技者の手元球と分離し、クレジット機能により手元球を遊技球に変換して遊技を楽しむものである。遊技機本体１００に隣接する現金サンド２００の紙幣投入口２０１又は硬貨投入口２０２に現金を投入すると、所定個数の貸球が供給ノズル２０３、投入口６を経て下皿４に払い出される。例えば５００円なら１２５個の貸球を受け得る。いわゆるＣＲ仕様の場合、現金サンドに代わるＣＲサンドにカードを挿入し、操作パネル１１０の第１表示部１１１に表れるカード残度数の範囲内で、貸球スイッチ１２０を一回押すごとに５００円分の貸球を下皿４に受け得る。返却スイッチ１３０を押すと、ＣＲサンドからカードが返却される。
【００３３】
操作パネル１１０上の自動供給スイッチ１５０又は手動供給スイッチ１６０を押すと、下皿４の奥行方向内方に設ける排出装置５が作動し、下皿４の球が島に強制排出される。この排出する球数に等しい数だけクレジット度数が増加し、第３表示部１１３に表示される。自動供給の場合、クレジットが１０以下であると、最大２５０になるまで下皿４からの排出球を自動的にカウントし、クレジットを増加させる。手動供給の場合、手動供給スイッチ１６０を押している間だけ或は押した回数に所定の倍数を乗じた数だけ排出球をカウントし、同じく最大２５０の範囲内でクレジットを増加させる。
【００３４】
遊技機本体１００内の封入遊技球数は２５〜３０個であるが、クレジット度数に応じたのべ個数の封入遊技球を用いて遊技をすることができる。発射ハンドル１０の操作により内蔵するソレノイド式の発射装置から球を打ち出し、二重構造のフロントガラス２Ａ，２Ｂの内方に設ける遊技盤２に球を流下させる。そして、入賞球或はアウト球となった遊技球は内蔵する球循環装置により再び発射装置に循環させる。図５中、ａ２６は発射停止スイッチ、１１２はトラブル時のエラー符号を表示する第２表示部、１４０はクレジット残分に見合う数の球を下皿４に払い出す清算スイッチ、９は灰皿、４０は受皿４の球を遊技者の手元側のドル箱に入れる押ボタン式の球抜操作具、１８３はドア鍵部である。
【００３５】
図６に示すように、遊技機本体１００は、平面的に見て中央が前方に張り出すように丸みを帯びている。ドア鍵の正回し逆回しによって、遊技機本体は全体が固定枠１８０に対して扉状に開くと共に、フロントカバー１７０が遊技機本体１００に対して扉状に開く。扉を開くと、中の遊技盤２がむき出しになる。
【００３６】
図７に示すように、遊技盤２の裏には、特別図柄表示装置２１を配置する他、入賞球通路及び集合樋２２０を設けている。各一般入賞口２６Ａ〜Ｄの入賞球は、流下樋２２１〜２２４及び入賞球検知スイッチ１〜４（ａ４〜７）を通って集合樋２２０に開放される。始動口上２２Ｕに入賞した球は、流下樋２２６から第１種始動口上スイッチａ１を通過した後、集合樋２２０に開放される。始動口下２２Ｄに入賞した球は、電チュー検知スイッチａ３を経て流下樋２２７から第１種始動口下スイッチａ２を通過した後、集合樋２２０に開放される。アタッカ２４に入賞した球はカウントスイッチａ１１を通過した後、流下樋２２８から集合樋２２０に開放される。
【００３７】
集合樋２２０に集められた入賞球は、入賞球検知スイッチ５（ａ８）を通過した後、球循環装置側に落ちる。アウト口２９の球は直接球循環装置側に落ちる。カウントスイッチａ１１は、アタッカ２４への入賞球が１０個になるとアタッカ２４を閉じる機能をもつと共に、アタッカ２４の最大開放時間３０秒のうち、開放当初の５秒間、開放後１５秒〜２０秒の５秒間に設定したＶ入賞タイミングに１球でも入賞があると、アタッカ２４を最大１６回の繰り返しを限度に再開放させる機能をもつ。アタッカ２４への入賞球１個当たりの賞球数は例えば１５個、その他は例えば６個に設定している。尚、各入賞口２６Ａ〜Ｄに対応させた個別の入賞検知スイッチ１〜４（ａ４〜ａ７）は省略することもできる。
【００３８】
図７中、ＬＬＢはサイドＬＥＤ左基板、ＬＲＢはサイドＬＥＤ右基板、ＬＭＢは記憶ＬＥＤ基板、ＬＥＢは電チュー用ＬＥＤ基板、ＬＶＢはＶ−ＬＥＤ基板、ＬＡＢは大入賞口ＬＥＤ左基板、ＬＢＢは大入賞口ＬＥＤ右基板である。また、ａ９はゲート右２５Ｒのスイッチ、ａ１０はゲート左２５Ｌのスイッチである。
【００３９】
図８は、視覚的演出手段としてセル画８を採りあげた例であり、基盤１の裏面にこれを貼り付け、基盤１の肉厚を透かして絵柄を見せるようにしている。図９の例は、基盤の表裏両面にセル画８，８０を貼り付けたものであり、表側のセル画８０には例えば主人公のアニメキャラクターを表わし、裏側のセル画８には背景画を表わし、立体感を一層引き出すようにしたものである。これらは、上記した特別図柄表示装置２１への適用例と組合せるのがよい。
【００４０】
以上の実施形態では、封入球式のパチンコ遊技機の遊技盤に適用したが、上皿と下皿をもち、上皿の遊技球を発射ソレノイドに導いて遊技盤に打ち出す通常のパチンコ遊技機の遊技盤に適用しても勿論よい。また、パチンコ遊技機に限らず、アレンジボール遊技機、雀球遊技機等の他の弾球遊技機の遊技盤に適用しても勿論よい。
【図面の簡単な説明】
【００４１】
【図１】本発明第１実施形態を示す遊技盤の断面図。
【図２】同遊技盤に立設する遊技釘の拡大図。
【図３】図２のＸ−Ｘ線での断面図。
【図４】遊技盤全体の正面図。
【図５】遊技盤を組込んだ弾球遊技機の正面図。
【図６】図５の扉開放状態を示す断面図。
【図７】遊技盤全体の背面図。
【図８】本発明第２実施形態を示す遊技盤の断面図。
【図９】本発明第３実施形態を示す遊技盤の断面図。
【図１０】第１従来例の斜視図。
【図１１】第２従来例の断面図。
【符号の説明】
【００４２】
１；基盤
１０；下穴
２；遊技盤
７；遊技釘
７０；多重螺旋部
８；セル画
２１；特別図柄表示装置（ディスプレイ装置）
【図１】
2007260467.tif 000003
【図２】
2007260467.tif 000004
【図３】
2007260467.tif 000005
【図４】
2007260467.tif 000006
【図５】
2007260467.tif 000007
【図６】
2007260467.tif 000008
【図７】
2007260467.tif 000009
【図８】
2007260467.tif 000010
【図９】
2007260467.tif 000011
【図１０】
2007260467.tif 000012
【図１１】
2007260467.tif 000013